(57)【要約】【課題】  小型ビデオカメラを肩乗せにすることができ、撮影者のての負担を低減するとともに、長時間撮影をすることができる小型ビデオカメラを肩乗せにするための装置を提供する。【解決手段】  小型ビデオカメラＢに装着され、小型ビデオカメラを肩乗せにするための装置Ａを、ユーザーの装着によって使用することができる。特に小型ビデオカメラを肩乗せタイプ業務用のようなスタイルにするための装置を装着することにより、肩にビデオカメラを装着した装置自体の重量中心が肩に乗ることにより右手の重量負担が軽減される。また業務用バッテリーをしようすることにより長時間撮影が可能になる。【選択図】図１
2010004507.tif 000002
【特許請求の範囲】
【請求項１】
小型ビデオカメラに装着され、小型ビデオカメラを肩乗せにするための装置で、小型ビデオカメラを業務用ビデオカメラのスタイルにするための装置であって、ビデオカメラの三脚ネジ穴にユーザーがネジで装着し肩乗せにすることを特徴とする小型ビデオカメラを肩乗せにするための装置。
【請求項２】
小型ビデオカメラに装着され、小型ビデオカメラを肩乗せにするための装置で、小型ビデオカメラを肩乗せにするための装置が伸縮する可動部分をもち、重量バランスを変えられることのできることを特徴とする、小型ビデオカメラを肩乗せにするための装置。
【請求項３】
小型ビデオカメラに装着され、小型ビデオカメラを肩乗せにするための装置で、ビデオカメラの信号出力をユーザーの任意により小型ビデオカメラを業務用ビデオカメラのスタイルのようにサイドパネルより業務用入出力端子を接続することを特徴とする小型ビデオカメラを肩乗せにするための装置。
【請求項４】
小型ビデオカメラに装着され、小型ビデオカメラを肩乗せにするための装置で、肩乗せタイプ業務用ビデオカメラの電池を装着することができ、小型ビデオカメラのカメラの電圧に変換して電源供給コネクタを有することを特徴とする小型ビデオカメラを方乗せのスタイルにするための装置。
【請求項５】
小型ビデオカメラに装着され、小型ビデオカメラを肩乗せにするための装置で、業務用ビデオカメラの電池装着部分にビデオカメラの制御信号、入出力ビデオ信号、タリー信号、ゲンロック信号、インカム装置を有する機器を内臓している小型ビデオカメラを肩乗せにするための装置。
【発明の詳細な説明】
【技術分野】
【０００１】  本発明は小型ビデオカメラに使用する、肩乗せ装置に関するのもである。
【背景技術】
【０００２】  従来より小型ビデオカメラは右手で持って左手で絞り、ピントを合わせ、右手にほぼすべての重量がかかるため長時間の撮影時に手の負担がかかる。腰ベルトよりポールをだしてカメラ下の三脚ネジに装着するタイプがある。胸パットタイプの補助装置がある。【０００３】  また、ビデオカメラの出力コネクタは小型端子を有するものが大半で、業務用ビデオカメラのコネクタと互換性が無いものが大半を占める。これらの信号コネクタは付属の変換ケーブルが無ければテレビモニター等に出力することができない。【０００４】  そこで、本発明は小型ビデオカメラが、業務用ビデオカメラのように取り扱うことができ、体への負担を軽くすることができる装置を提供することを目的とする。
【発明の開示】
【発明が解決しようとする課題】
【０００５】  しかし、従来の小型ビデオカメラにおいては、長時間手持ち撮影することが非常に難しく、重量が約２ｋｇから３ｋｇのカメラを右手で持ち、カメラの重量の大半を右手で支えなければならなかった。【０００６】  また、小型ビデオカメラの入出力端子は小型端子のものが大半を占め、ビデオ製造メーカー付属のビデオカメラ変換ケーブルを使用した場合、コネクタの根元でよく接触不良や破断が発生する。【０００７】  小型ビデオカメラ専用のバッテリーの電源は、小型ビデオカメラ本体を駆動するもので、ライト用電源やカメラをコントロールする電源が確保できない。【０００８】  ビデオカメラの制御信号、入出力ビデオ信号、タリー信号、ゲンロック信号、インカム装置を同時に運用できない。
【課題を解決するための手段】  そこで本発明は上記問題点を解決するために創作されたものであって、第一には、小型ビデオカメラの三脚ネジに固定され、小型ビデオカメラを肩乗せにするための装置であって、底面には業務用ビデオカメラ三脚アダプタ形状をもち、その後方に方に乗せるための方パットを配置し肩乗せ形状にすることができる。【０００９】  また第２には小型ビデオカメラの三脚ネジに固定され、ビデオカメラを肩乗せにするための装置であり、底面には肩乗せタイプの業務用ビデオカメラ三脚アダプタ形状をもち、その後方に方に載せるための方パットを配置し、そのパット部分及び、ビデオカメラを肩乗せにするための装置が、ユーザーのッ操作によりシャーシが伸縮することができる。【００１０】  また第３には小型ビデオカメラの三脚ネジに固定され、小型ビデオカメラを肩乗せにするための装置であり、ビデオカメラの小型コネクタに変換ケーブルを装着し、その変換ケーブルの先をビデオカメラを肩乗せにするための装置のサイドパネルの内側に接続して、サイドパネルの外側には業務用コネクタを有することができる。【００１１】  また第４には、小型ビデオカメラを肩乗せにするための装置のバッテリー装着部分に肩乗せタイプ業務用ビデオカメラのビデオバッテリーを装着でき、その電圧をビデオカメラに変換してビデオカメラを業務用カメラスタイルにするための装置のサイドパネルより出力し、同時に肩乗せタイプ業務用ビデオカメラバッテリーの電源で、小型ビデオカメラを業務用カメラスタイルにするための装置のサイドパネルより、カメラライト用電源を取り出せるコネクタを有することができる。【００１２】  第５には、小型ビデオカメラを肩乗せにするための装置に肩乗せタイプ業務用ビデオカメラのビデオバッテリーを装着をする部分の前に、ビデオカメラの制御信号、入出力ビデオ信号、タリー信号、ゲンロック信号、インカム装置を有する機器を内臓又は着脱することができる。
【課題を解決するための手段】
【００１３】  本発明実施の形態として実施例を図面を利用して説明する。
本実施例の小型ビデオカメラを肩乗せにするための装置は図１に示すように、小型ビデオカメラを肩乗せにするための装置Ａと、小型ビデオカメラＢ、肩乗せタイプ業務用ビデオカメラのビデオバッテリーＣ、小型ビデオカメラの小型コネクタに接続された変換ケーブルＫ１とを有している。小型ビデオカメラを肩乗せにするための装置Ａと、小型ビデオカメラＢ、肩乗せタイプ業務用ビデオカメラのビデオバッテリーＣからなる。【００１４】  小型ビデオカメラの小型コネクタに接続された変換ケーブルＫ１の接続状態を説明すると、小型ビデオカメラを肩乗せにするための装置Ａと、小型ビデオカメラＢは８のカメラ用ネジで小型ビデオカメラＢとネジで接続され、ビデオカメラを肩乗せにするための装置Ａと、肩乗せタイプ業務用ビデオカメラのビデオバッテリーＣの接続はＶマウントシューで装着される。小型ビデオカメラＢと、小型ビデオカメラを肩乗せにするための装置Ａの間の映像信号は、小型ビデオカメラの小型コネクタに接続された変換ケーブルＫ１により、小型ビデオカメラを肩乗せにするための装置Ａの１、２、３に接続されている。【００１５】  また、小型ビデオカメラを肩乗せにするための装置は図２に示すように、小型ビデオカメラを肩乗せにするための装置Ａと、肩乗せタイプ業務用ビデオカメラのビデオバッテリーＣと接続され、小型ビデオカメラを肩乗せにするための装置Ａの１１より出力された電源を小型ビデオカメラＢに電源ケーブルＫ２により電源供給される。【００１６】また、小型ビデオカメラを肩のせにするための装置は図１に示すように肩パット６を有する。【００１７】  小型ビデオカメラを肩乗せにするための装置図１のＡは外部電源コネクタ９を有し肩乗せタイプ業務用ビデオカメラのビデオバッテリーＣの変わりに電源供給を受けることができる。ライト用電源コネクタ１１を有する。ライト用電源コネクタ１１はライト用のみでなく他の機器の電源供給も可能とする。
【発明の効果】
【００１８】  特に、本発明の請求項１に基づく小型ビデオカメラに装着され、小型ビデオカメラを肩乗せにするための装置であって、ユーザーの装着によって使用することができる。特にビデオカメラを業務用のような肩乗せのスタイルにするための装置を装着することにより、図１の運用状態ででにビデオカメラを装着した装置自体の重量中心が肩に乗ることにより右手の重量負担が軽減される。【００１９】  請求項２、小型ビデオカメラを肩乗せにするための装置を装着した小型ビデオカメラとの重心バランスを図１の１２可動スライド部分を１３の固定ネジを緩めることにより、前後にスライドし、全長が伸縮する。そのため重心を後ろにしたり、前にしたりすることができ、ユーザーの体型にあった使用が可能になる。【００２０】  請求項３、小型ビデオカメラを肩乗せにするための装置を装着した小型ビデオカメラの入出力端子にビデオカメラへ付属の変換ケーブルを装着した先を、小型ビデオカメラを肩乗せにするための装置のサイドパネルに接続することにより撮影運用時に小型ビデオカメラを肩乗せにするための装置のサイドパネルのコネクタに、機器の入出力コネクタを差し込むようになるため、小型ビデオカメラのコネクタを破損することを防ぐことができる。【００２１】  請求項４の小型ビデオカメラを肩乗せにするための装置Ａの後ろに装着された肩乗せタイプ業務用ビデオカメラのビデオバッテリーＣを接続することにより、小型ビデオカメラ自身のの電源でなく、肩乗せタイプ業務用ビデオカメラのビデオバッテリーから電源供給を受けることができ、容量の大きい肩乗せタイプ業務用ビデオカメラのビデオバッテリーのため長時間撮影が可能になる。また、カメラライトの同時使用が図１のＣのバッテリーで行える。【００２２】  請求項５の小型ビデオカメラに装着され、小型ビデオカメラを肩乗せにするための装置で、業務用ビデオカメラの電池装着部分にビデオカメラの制御信号、入出力ビデオ信号、タリー信号、ゲンロック信号、インカム装置を有する機器を内臓している小型ビデオカメラを肩乗せにするための装置によれば、今まで業務用ビデオカメラの運用方法が小型のビデオかめらで可能となり、スタジオでのマルチ収録が肩乗せタイプ業務用ビデオカメラでなくても行える。
【図面の簡単な説明】
【００２３】
【図１】  本発明に基づくビデオカメラと、小型ビデオカメラを肩乗せにするための装置、バッテリーの構成図を示したものである。
【図２】  本発明に基づく小型ビデオカメラを肩乗せにするための装置の外観を示す平面図である。
【図３】  本発明に基づく小型ビデオカメラを肩乗せにするための装置の底面の外観を示す平面図である。
【符号の説明】
【００２４】  Ｓ  小型ビデオカメラシステム
Ａ  小型ビデオカメラを肩乗せにするための装置
Ｂ  小型ビデオカメラ
Ｘ  肩乗せタイプ業務用ビデオカメラのビデオバッテリー
１  入出力コネクター
２  入出力コネクター
３  入出力コネクター
４  三脚ベース用アタッチメント
５  三脚ベース用アタッチメント止め金具
６  肩パット
７  業務用バッテリープレート
８  ビデオカメラ固定ネジ
９  外部電源入力端子
１０  外部電源出力端子
１１  カメラ用電源出力端子
１２  ビデオカメラの制御信号、入出力ビデオ信号、タリー信号、ゲンロック信号、インカム装置用基板
【図１】
2010004507.tif 000003
【図２】
2010004507.tif 000004
【手続補正書】
【提出日】平成20年9月18日(2008.9.18)
【手続補正１】
【補正対象書類名】明細書
【補正対象項目名】００２３
【補正方法】変更
【補正の内容】
【００２３】
【図１】        本発明に基づくビデオカメラと、小型ビデオカメラを肩乗せにするための装置、バッテリーの構成図を示したものである。
【図２】        本発明に基づく小型ビデオカメラを肩乗せにするための装置の外観を示す平面図である。